(57)【特許請求の範囲】
【請求項１】
距離差を与える透明基材層と、
前記透明基材層の裏面に形成され、表側から見えるように印刷された第１の絵柄層と、
前記透明基材層の表面に形成され、前記第１の絵柄層と同調する第２の絵柄層と、
前記第１の絵柄層の裏面に形成された不透明なカード基材層と、
前記カード基材層の裏面に形成され、カードの説明が記載された説明絵柄層と、
前記第２の絵柄層の表面に形成された表面保護層であって、前記表面保護層の表面が平滑化された表面保護層と、
前記説明絵柄層の裏面に形成された裏面保護層であって、前記裏面保護層の裏面が平滑化された裏面保護層とを含む立体視カード。
【請求項２】
前記透明基材層の厚みが約６８０μｍであり、前記カード基材層の厚みが約８０μｍであることを特徴とする請求項１記載の立体視カード。
【発明の詳細な説明】
【０００１】
【発明の属する技術分野】
本発明は、絵柄が立体的に見える立体視カードに関するものである。
【０００２】
【従来の技術】
従来、この種のカードは、カード表面の絵柄に、立体感を与える加工として、ホログラムを形成したものが知られている。従って、そのカードは、ホログラム転写体をカード基材に転写して、ホログラム転写体の立体感をカードに付与するものである。
【０００３】
【発明が解決しようとする課題】
しかし、前述した従来のカードは、ホログラムの加工技術が複雑であって、それ自体が高価なために、カードの製造コストが上昇するという問題があった。
【０００４】
本発明の課題は、ホログラム等のような特殊な加工を施すことなく、遠近感、立体感を持たせることが可能な立体視カードを提供することである。
【０００５】
前記課題を解決するために、請求項１の発明は、距離差を与える透明基材層（１４）と、前記透明基材層の裏面に形成され、表側から見えるように印刷された第１の絵柄層（１３）と、前記透明基材層の表面に形成され、前記第１の絵柄層と同調する第２の絵柄層（１５）と、前記第１の絵柄層の裏面に形成された不透明なカード基材層（１１）と、前記カード基材層の裏面に形成され、カードの説明が記載された説明絵柄層（１２）と、前記第２の絵柄層の表面に形成された表面保護層であって、前記表面保護層の表面が平滑化された表面保護層（１７）と、前記説明絵柄層の裏面に形成された裏面保護層であって、前記裏面保護層の裏面が平滑化された裏面保護層（１６）とを含む立体視カードである。また、請求項２の発明は、前記透明基材層の厚みが約６８０μｍであり、前記カード基材層の厚みが約８０μｍであることを特徴とする立体視カードである。
【０００６】
【発明の実施の形態】
以下、図面などを参照して、本発明の実施の形態をあげて、さらに詳しく説明する。
図１は、本発明による立体視カードの実施形態を示す図、図２は、本実施形態に係る立体視カードの使用方法を示す図である。
【０００７】
この実施形態の立体視カード１０は、カード基材層１１と、絵柄層１２，１３と、透明基材層１４と、絵柄層１５と、保護層１６，１７などから構成されており、総厚み約７６０〜７７２μｍのものである。
この立体視カード１０は、磁気ストライプカード、全面磁気カード、ＩＣカード、光カード等との１種類以上の組み合わせが可能である。
【０００８】
カード基材層１１は、このカード１０の担体となるものであって、紙、合成紙、プラスチック等からなる約８０μｍの層である。
【０００９】
絵柄層１２，１３は、基材層１１の裏面及び表面に形成された約１〜３μｍの層であり、グラビア印刷、スクリーン印刷などによって、形成することができる。絵柄層１２は、カード１０の説明などが記載される層である。
【００１０】
透明基材層１４は、カード基材層１１の表面側（絵柄層１３側）に積層されており、透明であって距離差を与えるための約６８０μｍの層であり、例えば、ポリエチレンテレフタレート、塩化ビニル、ポリカーボネート、ＡＢＳ樹脂、ポリプロピレン、ポリスチレン、ポリメタクリル酸メチル、セルロースプロピオネート、セルロースアセテートブチレート、アクリロニトリル−スチレン共重合体等が等のプラスチックが使用できる。
この透明基材層１４は、下面にヒートシール層（不図示）が形成されており、カード基材層１１上に熱圧着により、一体化される。
【００１１】
絵柄層１５は、透明基材層１４の表面側に印刷されており、絵柄層１３と同調するような絵柄が印刷されている。例えば、図２において、絵柄層１３は、ブタの顔全体が印刷されており、印刷層１５は、ブタの鼻だけ印刷されている。
また、絵柄層１３は、カード基材１１側に印刷されているので、透明基材層１４の上側から、通常の絵柄として見える。なお、絵柄層１３は、透明基材層１４の上側から、通常の絵柄として見えるように印刷すれば、透明基材１４の裏面に直接印刷してもよい。
【００１２】
保護層１６，１７は、絵柄層１２又は絵柄層１５の外側に形成されたポリ塩化ビニルシートやＯＰニスなどの約１〜３μｍの透明な層であり、絵柄層１２及び絵柄層１５を保護するためのものである。
【００１３】
図３は、本実施形態に係る立体視カードの製造方法を示す工程図である。
＃１０１において、厚さ８０μｍの紙、合成紙、プラスチック等のロール状のカード基材１１に、絵柄層１２，１３を印刷する。
＃１０２において、透明なプラスチックシート（透明基材層）１４の片面に、ヒートシール剤を塗布しておく。
＃１０３において、基材１１の絵柄層１３側に、６８０μｍの透明なプラスチックシート１４を積層する。
＃１０４において、＃１０３で製造されたものに対して、熱及び圧力を加え、各材料を接着する。
【００１４】
＃１０５において、＃１０４で製造されたものをシート状にカットする。
＃１０６において、＃１０５で製造されたものに、絵柄層１５を印刷する。
＃１０７において、＃１０６で製造されたものに、保護層１６、１７として、ＯＰニスを印刷する。
＃１０８において、＃１０７で製造されたものに対し、熱及び圧力を加え、表面を平滑化する。
＃１０９において、＃１０８で製造されたものを、カード状に打ち抜く。
【００１５】
次に、図２を参照しながら、本実施形態に係る立体視カードの使用方法を説明する。
まず、図２（Ａ）のように、真上から観察した場合には、下層の絵柄層１３と上層の絵柄層１５とは、重なって見えるので、平坦な絵柄に認識される。
この状態から、図２（Ｂ）のように、少し斜めから観察した場合には、下層の絵柄層１３と上層の絵柄層１５とを、同時に見ることができるので、下層と上層との距離の違いにより、「鼻」の部分だけ浮き上がった、又は、「鼻」の部分に影のついたような、立体感、遠近感のある絵柄に認識される。
また、見る角度を変化させることにより、絵柄層１５が絵柄層１３に対して、動いたように見える。
【００１６】
このことは、図２のＡ点とＢ点は、真上から見れば、重なって見えるが、斜めから見れば、Ａ，Ｂの両点が見えることからもわかる。
【００１７】
以上のように、本実施形態によれば、透明な基材層１４の上下に絵柄層１３，１５を形成することにより、２つの絵柄層１３，１５を表面から見ることができ、かつ、透明な基材層１４により、２つの絵柄層１３，１５に距離差ができ、立体感が表現される。
【００１８】
また、カラーコピー等でコピーしても、絵柄層１３，１５に距離差がないので複製されたものに立体感がでず、ホログラムと同様な偽造防止の効果がある。
【００１９】
（変形形態）
以上説明した実施形態に限定されることなく、種々の変形や変更が可能であって、それらも本発明の均等の範囲内である。
例えば、カード基材層１１の下面にも、絵柄層１３，透明基材層１４，絵柄層１５の層構成を設けるようにしてもよい。また、基材層１１の片側に、透明基材層１４を複数層重ねるようにしてもよい。
【００２０】
さらに、基材層１１を設けずに、又は、基材層１１を透明な材料にすることより、カード全体を透明にして、両面から絵柄を見るようにしてもよい。このときに、表側と裏側で異なる絵柄となるような、いわゆる「だまし絵」とすることもできる。
【００２１】
この実施形態の絵柄層は、文字なども含む概念であり、その場合には、「影付き文字」となり、立体的で重量感のある文字となる。
【００２２】
【発明の効果】
以上説明したように、本発明によれば、透明な基材層の裏面及び表面に、第１及び第２の絵柄層を同調させるように印刷したので、第１及び第２の絵柄層の距離差が生じて、見る角度によって、立体感を付与することができる。
【００２３】
また、ホログラムのような高価で複雑な技術を用いることなく、通常の印刷により立体感を表現することができ、しかも、複写しても再現されないので、偽造防止の効果がある。
【図面の簡単な説明】
【図１】本発明による立体視カードの実施形態を示す図である。
【図２】本実施形態に係る立体視カードの使用方法を示す図である。
【図３】本実施形態に係る立体視カードの製造方法を示す工程図である。
【符号の説明】
１１  基材層
１２，１３，１５  絵柄層
１４  透明基材層
１６，１７  保護層
【図１】
0003892108.tif 000002
【図２】
0003892108.tif 000003
【図３】
0003892108.tif 000004